(57)【要約】【課題】第三者によって主電源が強制的に遮断されても、高速に画像データを上書き消去し、当該画像データが外部に漏洩することを防止する。【解決手段】画像データを取得する画像読み取り部１２と、ＨＤＤ２５と、メモリコントローラ２３と、主電源部１５と、主電源部１５が遮断された場合に電源を供給するセキュリティ用電源部１６と、主電源部１５の遮断を検知した場合、メモリコントローラ２３及びＨＤＤ２５の電源をセキュリティ用電源部１６に切り替える主電源遮断検知部１６と、を備え、主電源遮断検知部１６は、主電源部１５の遮断を検知した場合、ＨＤＤ２５に記憶されている画像データの上書き消去を指示する動作指示信号をメモリコントローラ２３に出力し、メモリコントローラ２３は、動作指示信号が入力されると、ＨＤＤ２５に記憶されている画像データの上書き消去を行う上書き消去部２３Ｂを備える。【選択図】図１
2008028664.tif 000002
【特許請求の範囲】
【請求項１】
画像データを取得する情報取得部と、
前記情報取得部により取得した画像データを記憶する記憶部と、
前記記憶部を制御するメモリコントローラと、
電源を供給する主電源部と、
前記主電源部が遮断された場合に電源を供給するセキュリティ用電源部と、
前記主電源部の遮断を検知した場合、前記メモリコントローラ及び前記記憶部の電源を前記セキュリティ用電源部に切り替える主電源遮断検知部と、を備え、
前記主電源遮断検知部は、
前記主電源部の遮断を検知した場合、前記記憶部に記憶されている画像データの上書き消去を指示する動作指示信号を前記メモリコントローラに出力し、
前記メモリコントローラは、
前記動作指示信号が入力されると、前記記憶部に記憶されている画像データの上書き消去を行う上書き消去部を備えることを特徴とする情報蓄積装置。
【請求項２】
前記記憶部内の上書き必要領域のアドレスとして、前記画像データが記憶されている領域のアドレス、又は前記記憶部内の上書き消去されていない前記画像データが記憶されている領域のアドレスを、前記メモリコントローラ内のレジスタに随時格納する制御部を備え、
前記上書き消去部は、
前記メモリコントローラ内のレジスタに格納された前記上書き必要領域のアドレスに基づいて、前記記憶部に記憶されている画像データを上書き消去することを特徴とする請求項１に記載の情報蓄積装置。
【請求項３】
操作可能な操作部を備え、
前記操作部は、ユーザの操作指示に基づいて、前記情報取得部により取得した画像データが機密情報であるか否かを判別する指示を前記制御部に出力し、
前記制御部は、
前記操作部から入力された指示が、前記情報取得部により取得した画像データが機密情報であるとの指示の場合、当該取得した機密情報を前記記憶部内の上書き必要領域に記憶させて、当該上書き必要領域のアドレスを前記メモリコントローラ内のレジスタに随時格納し、
前記上書き消去部は、
前記メモリコントローラ内のレジスタに格納された前記上書き必要領域のアドレスに基づいて、前記記憶部に記憶されている機密情報を上書き消去することを特徴とする請求項２に記載の情報蓄積装置。
【請求項４】
前記操作部は、
前記主電源部から電源が供給されている時、ユーザの上書き中止の操作指示に基づいて、上書き消去を中止する指示を前記制御部に出力し、
前記制御部は、
前記操作部から入力された上書き消去を中止する指示により、前記主電源遮断検知部に前記動作指示信号を生成させないように指示することを特徴とする請求項２又は３に記載の情報蓄積装置。
【請求項５】
前記制御部は、  
ユーザ認証し、当該ユーザ認証後に前記ユーザの操作指示を、許可することを特徴とする請求項２から４のいずれか一項に記載の情報蓄積装置。
【請求項６】
前記上書き消去部は、
前記上書き必要領域が小さい場合、当該上書き必要領域を全て消去し、前記上書き必要領域が大きい場合、当該上書き必要領域を所定の間隔をあけて上書き消去することを特徴とする請求項１から５のいずれか一項に記載の情報蓄積装置。   
【発明の詳細な説明】
【技術分野】
【０００１】
本発明は、情報蓄積装置に関する。
【背景技術】
【０００２】
従来から、秘匿を要する画像データ（機密情報）が、他人に盗まれるのを確実に防止することのできる技術が知られている。
例えば、画像データを内部記憶手段に記憶せず、可搬型記憶媒体にのみ記憶する画像形成装置が知られている。当該画像形成装置では、可搬型記憶媒体を装置本体から抜き取って保持することで、秘匿を要する画像データが他人に盗まれるのを防止することができる（例えば、特許文献１参照）。
また、情報の消去状態を個別に管理して、電源オンまたはオフ時に、消去すべき情報を消去した後、電源状態を電源オン状態またはオフ状態に遷移させる情報処理装置が知られている。当該情報処理装置では、情報管理をセキュリティよく行える情報管理環境を自在に構築することができる（例えば、特許文献２参照）。
【特許文献１】特開２００５−８０２３３号公報
【特許文献２】特開２００５−１１７３７７号公報
【発明の開示】
【発明が解決しようとする課題】
【０００３】
しかしながら、上述した特許文献１の技術は、画像データが内部記憶手段（例えば、内蔵のＨＤＤ（Hard Disc Drive））に記憶された場合のセキュリティ向上に関する技術ではない。また、特許文献２の技術は、第三者による不正な主電源の強制的な遮断時のセキュリティ向上に対応していない。即ち、画像データをＨＤＤに記憶した場合、電源を抜くなど第三者により不正に主電源の強制的な遮断がされると、ＨＤＤの上書き消去が不可能になる。したがって、上記技術では、画像データが外部に漏洩する可能性があるという問題点があった。
また、ＣＰＵが画像データの上書き消去を管理していると、シーケンシャルが低速であるため、画像データの上書き消去に時間を要するという問題点があった。
【０００４】
そこで、本発明の課題は、第三者によって主電源が強制的に遮断されても、高速に画像データを上書き消去し、当該画像データが外部に漏洩することを防止することのできる情報蓄積装置を提供することである。
【課題を解決するための手段】
【０００５】
上記課題を解決するため、請求項１に記載の情報蓄積装置は、
画像データを取得する情報取得部と、
前記情報取得部により取得した画像データを記憶する記憶部と、
前記記憶部を制御するメモリコントローラと、
電源を供給する主電源部と、
前記主電源部が遮断された場合に電源を供給するセキュリティ用電源部と、
前記主電源部の遮断を検知した場合、前記メモリコントローラ及び前記記憶部の電源を前記セキュリティ用電源部に切り替える主電源遮断検知部と、を備え、
前記主電源遮断検知部は、
前記主電源部の遮断を検知した場合、前記記憶部に記憶されている画像データの上書き消去を指示する動作指示信号を前記メモリコントローラに出力し、
前記メモリコントローラは、
前記動作指示信号が入力されると、前記記憶部に記憶されている画像データの上書き消去を行う上書き消去部を備えることを特徴とする。
【０００６】
請求項２に記載の情報蓄積装置は、請求項１に記載の情報蓄積装置において、
前記記憶部内の上書き必要領域のアドレスとして、前記画像データが記憶されている領域のアドレス、又は前記記憶部内の上書き消去されていない前記画像データが記憶されている領域のアドレスを、前記メモリコントローラ内のレジスタに随時格納する制御部を備え、
前記上書き消去部は、
前記メモリコントローラ内のレジスタに格納された前記上書き必要領域のアドレスに基づいて、前記記憶部に記憶されている画像データを上書き消去することを特徴とする。
【０００７】
請求項３に記載の情報蓄積装置は、請求項２に記載の情報蓄積装置において、
操作可能な操作部を備え、
前記操作部は、ユーザの操作指示に基づいて、前記情報取得部により取得した画像データが機密情報であるか否かを判別する指示を前記制御部に出力し、
前記制御部は、
前記操作部から入力された指示が、前記情報取得部により取得した画像データが機密情報であるとの指示の場合、当該取得した機密情報を前記記憶部内の上書き必要領域に記憶させて、当該上書き必要領域のアドレスを前記メモリコントローラ内のレジスタに随時格納し、
前記上書き消去部は、
前記メモリコントローラ内のレジスタに格納された前記上書き必要領域のアドレスに基づいて、前記記憶部に記憶されている機密情報を上書き消去することを特徴とする。
【０００８】
請求項４に記載の情報蓄積装置は、請求項２又は３に記載の情報蓄積装置において、
前記操作部は、
前記主電源部から電源が供給されている時、ユーザの上書き中止の操作指示に基づいて、上書き消去を中止する指示を前記制御部に出力し、
前記制御部は、
前記操作部から入力された上書き消去を中止する指示により、前記主電源遮断検知部に前記動作指示信号を生成させないように指示することを特徴とする。
【０００９】
請求項５に記載の情報蓄積装置は、請求項２から４のいずれか一項に記載の情報蓄積装置において、
前記制御部は、  
ユーザ認証し、当該ユーザ認証後に前記ユーザの操作指示を、許可することを特徴とする。
【００１０】
請求項６に記載の情報蓄積装置は、請求項１から５のいずれか一項に記載の情報蓄積装置において、
前記上書き消去部は、
前記上書き必要領域が小さい場合、当該上書き必要領域を全て消去し、前記上書き必要領域が大きい場合、当該上書き必要領域を所定の間隔をあけて上書き消去することを特徴とする。
【発明の効果】
【００１１】
請求項１に記載の発明によれば、主電源部が遮断されると、上書き消去部により、記憶部に記憶されている画像データの上書き消去を行うことができる。これにより、第三者によって主電源部が強制的に遮断されても、記憶部に記憶されている画像データを確実に上書き消去でき、当該画像データが外部に漏洩することを防止することができる。また、メモリコントローラ内の上書き消去部により、記憶部に記憶されている画像データの上書き消去を行うので、ＣＰＵのシーケンシャル管理が不要であり、上書き消去の時間を短縮することができる。
【００１２】
請求項２に記載の発明によれば、メモリコントローラ内のレジスタに格納された上書き必要領域のアドレスに基づいて、上書き消去することができる。これにより、記憶部に記憶された画像データのうち、上書きが必要な領域のみを上書き消去するので、上書き消去の時間を短縮することができる。
【００１３】
請求項３に記載の発明によれば、ユーザの操作指示により、情報取得部１２により取得した画像データが機密情報であるか否かを判別して、当該機密情報を上書き消去することができる。これにより、記憶部に記憶された画像データのうち、機密情報のみを上書き消去するので、上書き消去の時間を短縮することができる。
【００１４】
請求項４に記載の発明によれば、ユーザの上書き中止の操作指示に基づいて、上書き消去指示を中止することができる。これにより、ユーザが記憶部に記憶された画像データを上書き消去したくない場合、記憶部に記憶されている画像データを保存することができる。
【００１５】
請求項５に記載の発明によれば、ユーザ認証後にユーザの操作指示を許可することができる。これにより、記憶部に記憶されている画像データのセキュリティを確保することができる。
【００１６】
請求項６に記載の発明によれば、上書き必要領域が小さい場合、当該上書き必要領域を全て消去することができる。また、上書き必要領域が大きい場合、当該上書き必要領域を所定の間隔をあけて上書き消去することができる。これにより、上書き消去の時間を短縮することができる。    
【発明を実施するための最良の形態】
【００１７】
以下、添付図面を参照して本発明に係る実施の形態を詳細に説明する。ただし、発明の範囲は、図示例に限定されない。
【００１８】
図１及び図２を参照して、本発明に係る第１の実施の形態を説明する。図１に本実施の形態の情報蓄積装置１を示す。図２に、情報蓄積装置１で実行される第１の上書き消去処理の流れを示す。
【００１９】
図１を参照して、本実施の形態の情報蓄積装置１を説明する。情報蓄積装置１は、本実施の形態では複写機として説明する。また、情報蓄積装置１は、主電源部１５が遮断された（ＯＦＦ）場合、ＨＤＤ２５に保存されている画像データを上書き消去する。情報蓄積装置１は、主電源駆動部１０と、主電源・セキュリティ電源駆動部１１と、情報取得部としての画像読み取り部１２と、画像書き込み部１３と、バッファメモリ１４と、主電源部１５と、主電源遮断検知部１６と、セキュリティ用電源部１７と、電源切り替え部１８と、を備えて構成される。制御部２０は、ＰＣＩバスを介してＩ／Ｏデバイス２２と、バスブリッジ２４と接続されている。また、制御部２０は、メモリコントローラ２３と、主電源遮断検知部１６とローカルバスで接続されている。
【００２０】
主電源駆動部１０は、制御部２０と、操作部２１と、Ｉ／Ｏデバイス２２と、を備えて構成される。
制御部２０は、ＣＰＵ（Central Processing Unit）、ＲＯＭ（Read Only Memory）、ＲＡＭ（Read Access Memory）等により構成され、情報蓄積装置１を構成する各機能に対する指示や、当該機能部間のデータ通信等を制御する。具体的には、ＲＯＭに記憶されているシステムプログラム及び各種アプリケーションプログラムの中から指定されたプログラムをＲＡＭに展開し、ＲＡＭに展開されたプログラムとＣＰＵとの協働で、各種処理を実行する。特に、ＲＯＭには、後述する第１の上書き消去プログラムが記憶される。
【００２１】
制御部２０は、第１の上書き消去プログラムにより、主電源部１５から電源が供給されている時、上書き必要領域のアドレスをメモリコントローラ２３内のレジスタ２３Ａに随時格納する。ここで、上書き必要領域のアドレスとは、ＨＤＤ２５に記憶されている画像データのうち上書き必要な画像データを識別するために必要な情報のことをいう。具体的には、ＨＤＤ２５内の、画像データが記憶されている領域のアドレス、又はＨＤＤ２５内の、上書き消去されていない画像データが記憶されている領域のアドレスのことをいう。
【００２２】
操作部２１は、操作入力キーやタッチパネル等により構成され、押下されたキーに対応する押下信号や、タッチパネルを当接された位置に対応する位置信号等の操作信号を制御部２０に出力する。
【００２３】
Ｉ／Ｏデバイス２２は、コンピュータや情報機器と接続するためのインターフェース機能を有し、接続された情報機器との間でデータを送受信する。また、Ｉ／Ｏデバイス２２を介して、外部の情報機器から画像データを取得してもよい。
【００２４】
主電源・セキュリティ用電源駆動部１１は、メモリコントローラ２３と、バスブリッジ２４と、ＨＤＤ２５と、を備えて構成される。
メモリコントローラ２３は、ＡＳＩＣ（Application Specific Integrated Circuit）より構成され、画像読み取り部１２により読み取った画像データをバッファメモリ１４又はＨＤＤ２５に転送する。また、メモリコントローラ２３は、レジスタ２３Ａと、上書き消去部２３Ｂと、を備える。
【００２５】
レジスタ２３Ａは、ＨＤＤ２５の上書き必要領域のアドレスが記憶される。上書き消去部２３Ｂは、ＨＤＤ２５に記憶されている画像データの上書き消去を行う。ここで、上書き消去は、上書き必要領域が小さい場合、上書き必要領域を全て消去する。また、上書き必要領域が大きい場合、上書き必要領域を所定の間隔をあけて上書き消去する。
【００２６】
バスブリッジ２４は、ＰＣＩで実装されたバスの橋渡し的な役割を果たすデバイスである。ＨＤＤ２５は、磁気記憶媒体を備え、制御部２０の指示により、各種情報を読み出し及び読み書き可能に磁気記憶媒体に記憶する。ＨＤＤ２５には画像読み取り部１２により読み取られた画像データが記憶される。ここで、ＨＤＤ２５に記憶される画像データは圧縮画像データとする。
【００２７】
画像読み取り部１２は、プラテンガラス、ＣＣＤ（Charge Coupled Devices）及び光源を備え、ＡＤＦ（Auto Document Feeder）に載置された原稿に対して光源から照明走査した光の反射光をＣＣＤにより結像して光電変換することにより原稿の画像を読み取る。そして、読み取った画像より画像データを生成してバッファメモリ１４に出力する。
【００２８】
画像書き込み部１３は、図示しないＬＤ（Laser Diode）と、感光体ドラムと、帯電器と、現像器と、転写部と、定着器と、記録紙を供給する給紙トレイと、搬送経路に沿って記録紙を搬送する給紙ローラ等を備えて構成される。画像書き込み部１３は、インクジェット式、熱転写式など、他のプリント方式でもよい。
【００２９】
具体的に画像書き込み部１３は、メモリコントローラ２３の指示に基づいて、所定のサイズ及び方向の記録紙を給紙トレイの何れかから給紙して、当該記録紙を搬送経路上に搬送する。そして、感光体ドラム表面を帯電器により帯電させ、メモリコントローラ２３から入力された画像データをＰＷＭ（Pulse Width Modulation）信号に変換し、このＰＷＭ信号に基づいてＬＤによって感光体ドラム表面にレーザ光を照射することにより静電潜像を形成し、感光体ドラム表面の静電潜像を含む領域に現像器によりトナーを付着させる。さらに、給紙トレイから搬送された転写紙に転写部がトナーを転写して画像を形成し、定着器で定着させる。
【００３０】
バッファメモリ１４は、ＤＲＡＭ（Dynamic RAM）により構成され、画像読み取り部１２から出力された画像データの両面コピーや画像データの回転等の画像処理を行う。
【００３１】
主電源部１５は、情報蓄積装置１の各部に電源を供給する。主電源部１５は、主電源遮断検知部１６に主電源ＯＮ、主電源ＯＦＦの信号を出力する。
【００３２】
主電源遮断検知部１６は、主電源部１５から入力される信号をモニタし、当該信号がＨｉレベル（主電源ＯＮ）かＬｏｗレベル（主電源ＯＦＦ）かを監視する。そして、主電源がＯＦＦされると、セキュリティ用電源部１７から供給される電源で動作する。この場合、主電源遮断検知部１６は、動作指示信号を出力すると同時に、電源切り替え部１８により主電源・セキュリティ電源駆動部１１の駆動電源をセキュリティ用電源部１７に切り替える。ここで、動作指示信号とは、ＨＤＤ２５に記憶されている画像データの上書き消去を指示する信号のことをいう。
【００３３】
セキュリティ用電源部１７は、二次電池、電気二重層コンデンサ等により構成され、主電源部１５が遮断された場合、主電源遮断検知部１６に電源を供給する。また、セキュリティ用電源部１７は、主電源部１５が遮断された場合、主電源・セキュリティ用電源部１１に電源を供給する。
【００３４】
電源切り替え部１８は、スイッチ等より構成され、主電源部１５が遮断された場合、セキュリティ用電源部１７に切り替え、主電源・セキュリティ用電源部１１に電源を供給する。
【００３５】
次に、図２を参照して、情報蓄積装置１で実行される第１の上書き消去処理について説明する。第１の上書き消去処理は、主電源部１５の主電源がＯＮの時に上書き必要領域のアドレスをメモリコントローラ２３内のレジスタに格納する。
【００３６】
例えば、情報蓄積装置１において、主電源部１５の電源がＯＦＦからＯＮに切り替わったこと等をトリガとして、制御部２０でＲＯＭから読み出されて適宜ＲＡＭに展開された第１の上書き消去プログラムと、ＣＰＵとの協働により第１の上書き消去処理が実行される。
【００３７】
先ず、上書き必要領域のアドレスがメモリコントローラ内のレジスタに格納される（ステップＳ１０１）。そして、主電源部１５の電源がＯＮからＯＦＦへ切り替わっているか否かが判別される（ステップＳ１０２）。主電源部１５の電源がＯＮからＯＦＦへ切り替わっていない場合（ステップＳ１０２；ＮＯ）、ステップＳ１０１へ移行される。
【００３８】
主電源部１５の電源がＯＮからＯＦＦへ切り替わっている場合（ステップＳ１０２；ＹＥＳ）、第１の上書き消去処理は終了する。
【００３９】
ここで、主電源部１５の電源がＯＮからＯＦＦへ切り替わると同時に、主電源遮断検知部１６により、主電源・セキュリティ電源駆動部１１内のメモリコントローラ２３及びＨＤＤ２５の電源を主電源部１５からセキュリティ用電源部１７へ切り替えられる。そして、主電源遮断検知部１６から動作指示信号がメモリコントローラ２３へ出力される。メモリコントローラ２３内の上書き消去部２３Ｂは、動作指示信号を受けると、ＨＤＤ２５へ画像データの上書き消去の指示を送り、ＨＤＤ２５の上書き必要領域が上書き消去される。
【００４０】
画像データの上書き消去は、メモリコントローラ２３内のレジスタ２３Ａに格納されている上書き必要領域のアドレスに基づいて行われる。ここで、上書き必要領域が小さい場合、上書き消去のための時間が短いため、上書き必要領域の全領域の上書き消去が行われる。また、上書き必要領域が大きい場合、上書き消去は、上書き必要領域において、所定の間隔をあけた領域で実行される。これにより、ＨＤＤ２５に記憶されている圧縮画像データの伸張を不可能とし、且つ上書き消去時間を短縮することができる。
【００４１】
また、本実施の形態における第１の上書き消去処理のステップＳ１０１において、上書き必要領域のアドレスを、ユーザにより指定することができることとしてもよい。例えば、ユーザが画像を読み込む際、機密情報として画像データの読み取りを行いたい場合がある。この場合、ユーザは操作部２１を介して、画像読み取り部１２より取得した画像データが機密情報であることを指示することができる。操作部２１は、ユーザの操作指示に基づいて、画像データが機密情報であるか否かを判別する指示を制御部２０に出力する。制御部２０は、ユーザにより操作部２１から入力された指示が、画像読み取り部１２から取得された画像データが機密情報であるとの指示の場合、当該機密情報をＨＤＤ２５の上書き必要領域に記憶する。このとき、ＨＤＤ２５は、上書き必要領域とそれ以外の領域とに分割されているものとする。そして、当該機密情報が記憶された上書き必要領域のアドレスが、メモリコントローラ２３内のレジスタ２３Ａに格納される。このとき、ユーザは、指紋認証等によるユーザ認証後に、操作部２１を介して上記の操作指示が許可される。
【００４２】
以上、本実施の形態によれば、主電源部１５が遮断されると、上書き消去部２３Ｂにより、ＨＤＤ２５に記憶されている画像データの上書き消去を行うことができる。これにより、第三者によって主電源部１５が強制的に遮断されても、ＨＤＤ２５に記憶されている画像データを確実に上書き消去でき、当該画像データが外部に漏洩することを防止することができる。また、メモリコントローラ２３内の上書き消去部２３Ｂにより、ＨＤＤ２５に記憶されている画像データの上書き消去を行うので、ＣＰＵのシーケンシャル管理が不要であり、上書き消去の時間を短縮することができる。
【００４３】
また、メモリコントローラ２３内のレジスタ２３Ａに格納された上書き必要領域のアドレスに基づいて、上書き消去することができる。これにより、ＨＤＤ２５に記憶された画像データのうち、上書きが必要な領域のみを上書き消去するので、上書き消去の時間を短縮することができる。
【００４４】
また、ユーザの操作指示により、画像読み取り部１２により取得した画像データが機密情報である場合、当該機密情報を上書き消去することができる。これにより、ＨＤＤ２５に記憶された画像データのうち、機密情報のみを上書き消去するので、上書き消去の時間を短縮することができる。
【００４５】
また、ユーザ認証後にユーザの操作指示を許可することができる。これにより、ＨＤＤ２５に記憶されている画像データのセキュリティを確保することができる。
【００４６】
また、上書き必要領域が小さい場合、当該上書き必要領域を全て消去することができる。また、上書き必要領域が大きい場合、当該上書き必要領域を所定の間隔をあけて上書き消去することができる。これにより、上書き消去の時間を短縮することができる。
【００４７】
（第２の実施の形態）
図３を参照して、本実施の形態に係る第２の実施の形態を説明する。図３に第２の上書き消去処理の流れを示す。なお、本実施の形態において、実施の形態１の情報蓄積装置１と同一の構成要素には同一符号を付す。以下、実施の形態１の情報蓄積装置１と異なる点のみを説明する。
【００４８】
情報蓄積装置１において、ＲＯＭに第２の上書き消去プログラムが記憶される。  
【００４９】
図３を参照して、第２の上書き消去処理を説明する。第２の上書き消去処理は、ユーザ認証後、主電源遮断検知をＯＦＦするか否かを判別する。
【００５０】
例えば、情報蓄積装置１において、主電源部１５の電源がＯＦＦからＯＮに切り替わったこと等をトリガとして、制御部２０でＲＯＭから読み出されて適宜ＲＡＭに展開された第２の上書き消去プログラムと、ＣＰＵとの協働により第２の上書き消去処理が実行される。
【００５１】
先ず、ＨＤＤ２５の上書き必要領域のアドレスがメモリコントローラ２３内のレジスタ２３Ａに格納される（ステップＳ２０１）。そして、ユーザ認証後、主電源遮断検知をＯＦＦするか否かが判別される（ステップＳ２０２）。ここで、ユーザ認証は、指紋認証等により行われる。ユーザ認証が正しく行われた場合、ユーザは操作部２１から操作指示が許可される。また、主電源遮断検知をＯＦＦするか否かを判別するとは、ユーザの操作部２１を介した上書き中止の操作指示に基づいて、上書き消去を中止する指示があるか否かを判別することをいう。
【００５２】
ステップＳ２０２において、主電源遮断検知をＯＦＦする場合（ステップＳ２０２；ＹＥＳ）、主電源部１５の電源がＯＮからＯＦＦへ切り替わっているか否かが判別される（ステップＳ２０３）。主電源部１５の電源がＯＮからＯＦＦへ切り替わっていない場合（ステップＳ２０３；ＮＯ）、ステップＳ２０１に移行される。主電源部１５の電源がＯＮからＯＦＦへ切り替わっている場合（ステップＳ２０３；ＹＥＳ）、第２の上書き消去処理は終了する。
【００５３】
ステップＳ２０２において、主電源遮断検知をＯＮする場合（ステップＳ２０２；ＮＯ）、主電源部１５の電源がＯＮからＯＦＦへ切り替わっているか否かが判別される（ステップＳ２０４）。主電源部１５の電源がＯＮからＯＦＦへ切り替わっていない場合（ステップＳ２０４；ＮＯ）、ステップＳ２０１に移行される。主電源部１５の電源がＯＮからＯＦＦへ切り替わっている場合（ステップＳ２０４；ＹＥＳ）、第２の上書き消去処理は終了する。
【００５４】
ここで、ステップＳ２０３において、主電源部１５の電源がＯＮからＯＦＦへ切り替わる（ステップＳ２０３；ＹＥＳ）と同時に、主電源遮断検知部１６により、主電源・セキュリティ電源駆動部１１内のメモリコントローラ２３及びＨＤＤ２５の電源を主電源部１５からセキュリティ用電源部１７へ切り替えられる。また、この場合、操作部２１から入力された上書き消去を中止する指示により、制御部２０から主電源遮断検知部１６に動作指示信号を生成させない指示が送信される。主電源遮断検知部１６は、動作指示信号を生成しないので、ＨＤＤ２５の上書き必要領域は上書き消去されない。
【００５５】
また、ステップＳ２０４において、主電源部１５の電源がＯＮからＯＦＦへ切り替わる（ステップＳ２０４；ＹＥＳ）と同時に、主電源遮断検知部１６により、主電源・セキュリティ電源駆動部１１内のメモリコントローラ２３及びＨＤＤ２５の電源を主電源部１５からセキュリティ用電源部１７へ切り替えられる。そして、主電源遮断検知部１６から動作指示信号がメモリコントローラ２３へ出力される。メモリコントローラ２３内の上書き消去部２３Ｂは、動作指示信号を受けると、ＨＤＤ２５へ画像データの上書き消去の指示を送り、ＨＤＤ２５の上書き必要領域が上書き消去される。
【００５６】
画像データの上書き消去は、メモリコントローラ２３内のレジスタ２３Ａに格納されている上書き必要領域のアドレスに基づいて行われる。ここで、上書き必要領域が小さい場合、上書き消去のための時間が短いため、上書き必要領域の全領域の上書き消去が行われる。また、上書き必要領域が大きい場合、上書き消去は、上書き必要領域において、所定の間隔をあけた領域で実行される。これにより、ＨＤＤ２５に記憶されている圧縮画像データの伸張を不可能とし、且つ上書き消去時間を短縮することができる。
【００５７】
また、実施の形態１と同様に、本実施の形態における第２の上書き消去処理のステップＳ２０１において、上書き必要領域のアドレスを、ユーザにより指定することができることとしてもよい。この場合、実施の形態１と同様に、ユーザは操作部２１を介して、画像読み取り部１２より取得した画像データが機密情報であることを指示することができる。
【００５８】
以上、本実施の形態によれば、ユーザの上書き中止の操作指示に基づいて、上書き消去指示を中止することができる。これにより、ユーザがＨＤＤ２５に記憶された画像データを上書き消去したくない場合、記憶部に記憶されている画像データを保存することができる。
【００５９】
また、ユーザ認証後にユーザの操作指示を許可することができる。これにより、ＨＤＤ２５に記憶されている画像データのセキュリティを確保することができる。
【００６０】
また、ユーザにより主電源遮断検知をＯＦＦしない選択がされた場合、主電源部１５が遮断されると、上書き消去部２３Ｂにより、ＨＤＤ２５に記憶されている画像データの上書き消去を行うことができる。これにより、第三者によって主電源部１５が強制的に遮断されても、ＨＤＤ２５に記憶されている画像データを確実に上書き消去でき、当該画像データが外部に漏洩することを防止することができる。また、メモリコントローラ２３内の上書き消去部２３Ｂにより、ＨＤＤ２５に記憶されている画像データの上書き消去を行うので、ＣＰＵのシーケンシャル管理が不要であり、上書き消去の時間を短縮することができる。
【００６１】
また、メモリコントローラ２３内のレジスタ２３Ａに格納された上書き必要領域のアドレスに基づいて、上書き消去することができる。これにより、ＨＤＤ２５に記憶された画像データのうち、上書きが必要な領域のみを上書き消去するので、上書き消去の時間を短縮することができる。
【００６２】
また、ユーザの操作指示により、画像読み取り部１２により取得した画像データが機密情報である場合、当該機密情報を上書き消去することができる。これにより、ＨＤＤ２５に記憶された画像データのうち、機密情報のみを上書き消去するので、上書き消去の時間を短縮することができる。
【００６３】
また、上書き必要領域が小さい場合、当該上書き必要領域を全て消去することができる。また、上書き必要領域が大きい場合、当該上書き必要領域を所定の間隔をあけて上書き消去することができる。これにより、上書き消去の時間を短縮することができる。
【００６４】
なお、上記各実施の形態における記述は、本発明に係る情報蓄積装置の一例であり、これに限定されるものではない。
【００６５】
例えば、上記各実施の形態では、バッファメモリ１４、メモリコントローラ２３、バスブリッジ２４、ＨＤＤ２５をそれぞれ１個とする構成としたが、複数個のバッファメモリ１４、メモリコントローラ２３、バスブリッジ２４、ＨＤＤ２５を備える構成としてもよい。この構成により、カラー用の複写機に適用可能となる。
【００６６】
また、上記各実施の形態では、情報蓄積装置１を複写機として説明したが、画像データを蓄積するサーバ装置としてもよい。
【００６７】
その他、上記実施の形態における情報蓄積装置１の細部構成及び詳細動作に関しても、本発明の趣旨を逸脱しない範囲で適宜変更可能である。
【図面の簡単な説明】
【００６８】
【図１】本発明に係る情報蓄積装置１の概要図である。
【図２】第１の上書き消去処理の流れを示す図である。
【図３】第２の上書き消去処理の流れを示す図である。
【符号の説明】
【００６９】
１  情報蓄積装置
１０   主電源駆動部
１１   主電源・セキュリティ電源駆動部
１２   画像読み取り部
１３   画像書き込み部
１４   バッファメモリ
１５   主電源部
１６   主電源遮断検知部
１７   セキュリティ用電源部
１８   電源切り替え手段
２０   制御部
２１   操作部
２２   Ｉ／Ｏデバイス
２３   メモリコントローラ
２３Ａ レジスタ
２３Ｂ 上書き消去部
２４   バスブリッジ
２５   ＨＤＤ
【図１】
2008028664.tif 000003
【図２】
2008028664.tif 000004
【図３】
2008028664.tif 000005